(57)【要約】      （修正有）【課題】健康装身具としてだけでなく、他の用途にも使用できる健康装身具を提供する。【解決手段】健康装身具としての健康ネックレス１０はワイヤーキーとして利用可能であり、健康ネックレス１０には施錠するためのキーロック１２が設けられている。健康増進効果のある物質としては、磁石、トルマリン、ゲルマニウム、アクアチタンなどがある。【選択図】図１
2013240427.tif 000002
【特許請求の範囲】
【請求項１】
キーを保持可能な環状部を含み、
前記環状部は健康増進効果のある物質を含む、健康装身具。
【請求項２】
前記環状部はキーロックを有する、請求項１に記載の健康装身具。
【請求項３】
前記健康装身具は、使用時には前記環状部と前記キーロックとを一体化して使用する、請求項２に記載の健康装身具。
【請求項４】
前記健康装身具は、使用時には前記キーロックなしで使用する、請求項２に記載の健康装身具。
【請求項５】
前記環状部の両端部にはそれぞれの端部を接続するための一対の接続部が設けられ、
前記一対の接続部はカバーで覆われる、請求項１〜４のいずれかに記載の健康装身具。
【請求項６】
前記カバーは移動可能である、請求項５に記載の健康装身具。
【発明の詳細な説明】
【技術分野】
【０００１】
この発明は健康装身具に関し、特に、ワイヤーキーとしても利用可能な健康装身具に関する。
【背景技術】
【０００２】
従来の健康装身具が例えば、実用新案登録第３０６７４８８号公報（特許文献１）や実用新案登録第３０９４４９０号公報（特許文献２）に開示されている。
【０００３】
特許文献１は、身体の凝りや痛みや疲労を和らげることができる健康ネックレスに関し、トルマリン繊維の編み糸２と導電性繊維の編み糸３で中芯材のゴム紐４の外周を袋編みして紐状体とした健康ネックレスを開示している。また、特許文献２は、手首、足首に巻きつけて使用されるブレスレットに関し、先端に連結金具を有し、中央部には複数のベルト部品をつないだブレスレットにおいて、中央部のベルト部品の内側にゲルマニウム鉱石とブラックトルマリン鉱石からなる突起を設けた構成を開示している。
【先行技術文献】
【特許文献】
【０００４】
【特許文献１】実用新案登録第３０６７４８８号公報
【特許文献２】実用新案登録第３０９４４９０号公報
【発明の概要】
【発明が解決しようとする課題】
【０００５】
従来の健康装身具は上記のように構成されていた。従来の健康装身具においては、トルマリンやゲルマニウム鉱石がネックレスやブレスレットに使用されているが、健康装身具としての役割しか果たさず、他に利用するという発想はなかった。
【０００６】
この発明は上記のような問題点に鑑みてなされたもので、健康装身具としてだけでなく、他の用途にも使用できる健康装身具を提供することを目的とする。
【課題を解決するための手段】
【０００７】
この発明に係る健康装身具は、キーを保持可能な環状部を含み、環状部は健康増進効果のある物質を含む。
【０００８】
好ましくは、環状部はキーロックを有する。
【０００９】
健康装身具は、使用時には環状部とキーロックとを一体化して使用してもよいし、キーロックなしで使用してもよい。
【００１０】
環状部の両端部にはそれぞれの端部を接続するための一対の接続部が設けられ、一対の接続部はカバーで覆われてもよい。
【００１１】
さらに、カバーは移動可能であってもよい。
【発明の効果】
【００１２】
環状部自身に健康増進効果のある物質を取付けたため、健康装身具としてだけでなく、ワイヤーキーのような環状部としても使用できる。
【図面の簡単な説明】
【００１３】
【図１】この発明の一実施の形態に係る健康装身具の全体構成を示す斜視図である。
【図２】この発明の他の実施の形態に係る健康装身具を示す斜視図である。
【図３】健康ネックレスをキーロックから分離して接続部で接続した状態を示す斜視図である。
【図４】図３に示した健康ネックレスの中心を通る部分の断面図である。
【図５】図４に示した健康ネックレスの他の接続方法を示す図である。
【発明を実施するための形態】
【００１４】
以下、この発明の一実施の形態について説明する。図１は、この発明の一実施の形態に係る健康装身具の全体構成を示す斜視図（Ａ）と、キーロックの詳細を示す図である（Ｂ）。図１（Ａ）を参照して、健康装身具は、ワイヤーキーとしても使用可能な磁気ネックレスのような健康ネックレス１０である。健康ネックレス１０は、使用時に環状部として作動しながら、かつ、着脱自在とするために、長手方向に延在する長手部１１とその両端部を接続して施錠するキーロック１２とを含む。
【００１５】
キーロック１２は、中央部に設けられたダイアル部１２ａと一方側端部１２ｂと他方側端部１２ｃとを含む。図１（Ｂ）に示すように、キーロック１２のダイアル部１２ａと一方側端部１２ｂとは健康ネックレス１０の長手部１１の一方側端部に接続され、他方側端部１２ｃは長手部１１の他方側端部に接続されている。
【００１６】
キーロック１２の一方側端部１２ｂに接続されたダイアル部１２ａの端部には円筒形の空間１３ｂが設けられ、この空間１３ｂ内に、他方側端部１２ｃに一体的に設けられた第１係合部１３ａが挿入可能であり、この第１係合部１３ａが空間１３ｂ内に設けられた図示のない被係合部に係合することによって長手部１１とキーロック１２とが一体化される。
【００１７】
また、ダイアル部１２ａの３列の数値を所定の数値に設定することによって、キーロック１２の一方側端部１２ｂと他方側端部１２ｃとを分離できる。
【００１８】
なお、ここでは、長手部１１に設けられた個々の磁石等の図示は省略している。また、キーロック１２の機構はこの形態に限るものではなく、任意の機構を採用できる。
【００１９】
次に、他の実施の形態について説明する。図２は他の実施の形態を示す斜視図である。この実施の形態においては、キーロックは所定の装置に固定され、健康ネックレスはキーロックに対して着脱自在に設けられる。
【００２０】
図２を参照して、この実施の形態においては、健康装身具は、先の実施の形態と同様に、ワイヤーキーとしても作動する健康ネックレスである。健康ネックレス２０は長手部２３とその両端部を接続して施錠するキーロック２２とを含む。この実施の形態においては、キーロック２２は、例えば、自転車のフレーム３０等の他の装置に所定の取付部３１を介して、キーロック２２の背面部２１で接続されている。
【００２１】
この実施の形態においては、健康ネックレス２０の長手部２３はその両端部にキーロック２２との接続部２２ａ，２２ｂを有し、この接続部２２ａ，２２ｂで長手部２３はキーロック２２に着脱自在に設けられている。長手部２３をキーロック２２から分離して、その両端部に設けられた接続部２２ａ，２２ｂで接続した状態を図３に示す。図３に示すように、接続部２２ａ，２２ｂはそれぞれ同一形状の四角錐台であって、四角錐台の台側の広い面積を有する部分同士が接続される。
【００２２】
図４は図３に示した健康ネックレスの長手部２３の両端部の接続機構を説明するために、接続部の長手部２３の中心を通る部分の断面図である。図４を参照して、長手部２３の両端部に設けられた四角錐台の接続部には、接続部の対向する面に対して垂直方向に突出する一対の突出部２４ａ，２４ｂと、それぞれの突出部２４ａ，２４ｂを収容する軸方向に延在する収容穴２５ａ，２５ｂとを含む。なお、突出部２４ａ，２４ｂが収容穴２５ａ，２５ｂに収容されたとき、長手部２３は一体化されるものとする。この一体化される機構は任意の公知の構成を利用できる。
【００２３】
また、ここでは、接続部２２ａ，２２ｂはそれぞれ同一形状の四角錐台である場合について説明したが、これに限らず、任意の形状であってもよい。
【００２４】
なお、一対の突出部２４ａ，２４ｂは、それぞれの断面が半円の半円柱状であり、相互に中心面で合わせた時に、その断面が円形であってもよいし、この場合、一対の突出部２４ａ，２４ｂを収容する収容穴は同様に半円柱状の穴であり、一対の突出部２４ａ，２４ｂに設けられた凹部に係合する係合部を有していてもよい。
【００２５】
次に、この実施の形態の変形例について図５を参照して説明する。ここで、図５（Ａ）は図４と同様に接続部の中心部分の断面図であり、図５（Ｂ）は図５（Ａ）において、矢印ＶＢ-ＶＢで示す部分の断面図である。
【００２６】
変形例においては、接続部は、長手部２３の両端部にそれぞれ設けられ、合わせると円筒状になる、半割のデッドボルト２７ａ，２７ｂと、半割のデッドボルト２７ａ，２７ｂを覆うように設けられた円錐台状のキャップ２６ａ，２６ｂとを含み、キャップ２６ａ，２６ｂは長手部２３の長さ方向端部に沿って移動可能である。
【００２７】
長手部２３の両端部には、健康ネックレスの径方向外側に突出した鍔部２８ａ，２８ｂが設けられる。また、キャップ２６ａ，２６ｂの径の小さい側の内径部には、円周方向に内径方向に突出した突出部２９ａ，２９ｂが設けられ、この突出部２９ａ，２９ｂが長手部２３の端部において鍔部２８ａ，２８ｂと係合する。したがって、キャップ２６ａ，２６ｂは長手部２３に沿ってその両端部側に移動しても、長手部２３から脱落することはない。
【００２８】
なお、図５（Ｂ）に示すように一対の半割のデッドボルト２７ａ，２７ｂは、その対向する面側において径方向に突出した突出部４１ａ，４１ｂを半割のデッドボルト２７ａ，２７ｂの延在する方向の一部に有し、この半割のデッドボルト４１ａ，４１ｂは接続時には矩形の突出部４２を構成する。
【００２９】
また、キャップ２６ａ，２６ｂは相互に当接する部分に嵌め合い構造、または、磁石を設けることによって接続されて一体化される。
【００３０】
なお、上記実施の形態においては、健康装身具として健康ネックレスの場合について説明したが、これに限らず、健康増進効果のある物質を備えた環状の装飾具の止め具をキーロック式にして、ワイヤーキーと兼用できるものであれば、他の構成であってもよい。
【００３１】
健康増進効果のある物質としては、磁石、トルマリン、ゲルマニウム、アクアチタンなどがある。また、ワイヤーキーとしては、自転車用、カバン用などがある。
【００３２】
環状の装身具としては、ネックレス、ブレスレットなどがある。
【００３３】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３４】
この発明に係る健康装身具は、健康装身具としてだけでなく、ワイヤーキーとしても使用できるため、健康装身具として有利に利用される。
【符号の説明】
【００３５】
１０，２０  健康装身具、１１，２３  健康ネックレス、１２  キーロック、１３  空間、２１  背面部、２２  キーロック。
【図１】
2013240427.tif 000003
【図２】
2013240427.tif 000004
【図３】
2013240427.tif 000005
【図４】
2013240427.tif 000006
【図５】
2013240427.tif 000007